(57)【特許請求の範囲】
【請求項１】
茶畝をまたいで走行する門状の作業台車に対し、防除機を搭載して茶樹の防除作業を行う装置において、この防除作業は作業台車を走行させながら行われるものであり、また前記防除機の薬液を散布するノズル管は、前記作業台車に対し、茶畝の側面に臨んで位置するように設けられ、茶樹の枝幹部に対し側方から薬液を散布するものであり、このノズル管は、このものが穿孔されることによって形成される噴出口から、ノズル管内に圧送される薬液を噴霧させ、且つこの噴出口は、複数設けられるものであり、これら噴出口は、茶樹の異なる高さ位置へ向けられ  薬液が扇状に噴霧されるように構成されていることを特徴とする車載式防除装置。
【請求項２】
前記ノズル管からの薬液の散布は、前記作業台車の下方に位置する茶畝と、その両脇の茶畝に対して行われることを特徴とする請求項１記載の車載式防除装置。
【請求項３】
前記作業台車には運転席と操縦を行うためのコントロールユニットが搭載されており、作業者が搭乗し操縦して走行される乗用式のものであることを特徴とする請求項１または２記載の車載式防除装置。
【発明の詳細な説明】
【０００１】
【発明の属する技術分野】
本発明は茶樹に寄生する病害虫を防除するための作業台車に防除機が搭載された防除装置に関するものであり、特に茶樹の枝幹部に寄生する病害虫を防除する作業を行うのに適した車載式防除装置に係るものである。
【０００２】
【発明の背景】
茶園等において病害虫の防除を行うために使用される薬液の防除装置としては、薬液のノズル管を作業者が手に持って行う可搬式の防除機や、防除機を作業台車等に積載して防除作業を行う車載式の防除装置がある。このうち可搬式の防除機による防除作業は、重労働であるため、車載式の防除装置に移行しつつある。一般的な車載式の防除装置は、薬液を散布するノズル管が茶畝の上面形状に沿ったアーチ状をしており、茶樹の上方から薬液を散布する手法を採る。
【０００３】
このような茶畝の上面への薬液の散布は、茶葉に寄生する病害虫には有効であるが、カイガラ虫等の枝幹部に寄生する病害虫を防除する場合には、あまり有効な散布方法ではない。すなわちこのような茶畝の上面へ薬液を散布する手法では、内部の枝幹部まで散布することが難しく、枝幹部に寄生する病害虫を防除するためには、１０００〜１５００リットル／１０ａほどの多量の薬液の散布を行わなければ防除効果を上げられない。そしてこのような必要以上の薬液の散布は、経費や作業時間の問題の他、環境破壊の問題が現在生じている。
【０００４】
そこで本出願人は、このような問題の解決策の一案として、茶樹上方から茶樹内部の深層に至る範囲でノズル管を昇降自在とし、茶畝内に上方から突き刺したノズル管により直接枝幹部に散布する防除装置の発明を既に出願に及んでいる（特開２０００−１３９３２１、特開平１０−１５５４０５号）。これら発明によれば、薬液の散布量が従来に比べて少なく済み、ある程度の問題が解消されるものである。
【０００５】
しかし前述した発明は、いずれも薬液の散布時には、ノズル管は茶畝内に突き刺された状態とされるため、その状態では作業台車を移動できず、作業時間の短縮化の面では、更なる改良の余地があった。またノズル管が茶樹に接触するため、どうしてもノズル管の脱落等の故障の問題が生じやすい。
【０００６】
【開発を試みた技術的課題】
本発明はこのような背景からなされたものであって、薬液散布時に作業台車を停止することなく、薬液の散布を枝幹部に対し行え、またノズル管が茶樹に接触することを無くすことにより、ノズル管等の脱落等の故障がほとんど発生しない新規な車載式防除装置の開発を試みたものである。
【０００７】
【課題を解決するための手段】
すなわち請求項１記載の車載式防除装置は、茶畝をまたいで走行する門状の作業台車に対し、防除機を搭載して茶樹の防除作業を行う装置において、この防除作業は作業台車を走行させながら行われるものであり、また前記防除機の薬液を散布するノズル管は、前記作業台車に対し、茶畝の側面に臨んで位置するように設けられ、茶樹の枝幹部に対し側方から薬液を散布するものであり、このノズル管は、このものが穿孔されることによって形成される噴出口から、ノズル管内に圧送される薬液を噴霧させ、且つこの噴出口は、複数設けられるものであり、これら噴出口は、茶樹の異なる高さ位置へ向けられ  薬液が扇状に噴霧されるように構成されていることを特徴として成るものである。
この発明によれば、茶樹の枝幹部に散布が直接的に行えるため、薬液の散布量を飛躍的に減少することができる。更に走行しながら薬液の散布が行えるため、作業時間が短縮できる。また茶樹にノズル管が接触しないため、故障が少なく耐久性に富む。またノズル管の昇降操作等を行わないため、操作が簡単である。
また、茶樹の枝幹部に対し満遍なく薬液が散布される。
【０００８】
更に請求項２記載の車載式防除装置は、前記要件に加え、前記ノズル管からの薬液の散布は、前記作業台車の下方に位置する茶畝と、その両脇の茶畝に対して行われることを特徴として成るものである。
この発明によれば、一度の走行により少なくとも二畝分の薬液の散布が行え、作業効率に優れる。
【０００９】
更にまた請求項３記載の車載式防除装置は、前記要件に加え、前記作業台車には運転席と操縦を行うためのコントロールユニットが搭載されており、作業者が搭乗し操縦して走行される乗用式のものであることを特徴として成るものである。
この発明によれば、レールを敷設しないため、安価な実施が可能であり、小規模農園での実施にも適する。また作業者が運転しながら茶樹を観察し、病害虫による被害が多い茶樹のところを集中的に防除を行ったりすることが可能である。
【００１０】
【発明の実施の形態】
以下本発明を図示の実施の形態に基づき説明する。
図中符号１に示す装置が、本発明に係る車載式防除装置であり、このものは茶畝Ｕをまたぐようにして走行する作業台車２と、この作業台車２によって支持される防除機３とから成る。なお本明細書では、茶樹Ａの上部の茶葉がついている個所を上面葉部Ａ１と呼称し、地中から出た前記上面葉部Ａ１までの枝幹の個所を枝幹部Ａ２と呼称する。そしてこの茶樹Ａが一列に植えられて形成されているものが茶畝Ｕであり、この茶畝Ｕが複数並列に並べられて形成されたものが圃場Ｈである。
【００１１】
以下車載式防除装置１を構成する前記各部材について詳細に説明する。
まず作業台車２について説明する。作業台車２は、図１、２に示すように茶畝Ｕをまたぐように門形状に形成されたフレーム体２０を骨格部材とし、このフレーム体２０の左右下部にそれぞれクローラ２１が設けられる。
前記フレーム体２０の上部デッキ２０ａには、前記防除機３の一部の他、作業台車２を運転するためのコントロールユニット２２、作業者が座る運転席２３、クローラ２１及び前記防除機３のポンプユニット３２を駆動するためのエンジンユニット２４等が設けられる。なおクローラ２１に代え、タイヤ等で走行する構成を採ることも可能である。
【００１２】
次に防除機３について説明する。防除機３は、本発明の最も特徴的な部材であるノズル管３０と、薬液Ｌを貯留する薬液タンク３１と、この薬液タンク３１の薬液Ｌを前記ノズル管３０へ圧送するポンプユニット３２とを具えて成る。
【００１３】
これら防除機３の各部材について説明すると、ノズル管３０は、一例としてクローラ２１上部を覆うクローラカバー２１ｃの後方上部の内側と外側の両側部に対しそれぞれ一つずつ設けられ、左右のクローラ２１のクローラカバー２１ｃで計四つのノズル管３０が設けられている。具体的にはノズル管３０は図１に示すように円筒状を成し、一例としてφ０．７ｍｍの噴出口３０ａが２３〜２５個穿孔されている。これら噴出口３０ａは、進行方向前方から徐々に高くなるように穿孔されており、茶樹Ａの側面に対し、前傾斜した扇状に薬液Ｌが噴霧される。なお符号３０ｂはノズル管３０に残留した薬液Ｌを排出するためのドレーンである。因みにノズル管３０を設ける位置は、前述したようにクローラカバー２１ｃのほか、フレーム体２０に設けるようにしても構わず、ノズル管３０は、茶畝Ｕの側面に臨まされるように位置されるのならば、どの高さ位置に設けられてもよい。
【００１４】
次に薬液タンク３１は一例として直方体状を成し、作業台車２の左右側部にそれぞれ一つずつ設けられる。
次にポンプユニット３２は、ポンプと、薬液Ｌの送出圧力を調節する圧力調節装置等とを具えて成り、作業台車２の上部デッキ２０ａに設けられる。ポンプユニット３２からノズル管３０へは、供給配管３３により薬液Ｌが供給されるものであり、供給配管３３の適宜個所には電磁弁やコックが設けられる。なおこの電磁弁やコックは、四つの各ノズル管３０からの薬液Ｌの散布を独立して開閉できるように設置されることが好ましい。
【００１５】
本発明の車載式防除装置１は、以上のような具体的な形態を有するものであって、以下この作動態様について説明する。
車載式防除装置１により薬液Ｌの散布を行うには、作業台車２を茶畝Ｕをまたぐようにして圃場Ｈ内に進行させる。茶畝Ｕをまたいだ状態の作業台車２はクローラ２１が、畝間を走行するため、クローラカバー２１ｃ上面側端部に取り付けられた薬液Ｌを噴出するノズル管３０は、茶畝Ｕの側面に臨んでいる。そして車載式防除装置１を前進させながら、コントロールユニット２２付近に設けられた防除開始スイッチを操作することにより、ノズル管３０から薬液Ｌが前傾斜した扇状に噴霧され、茶樹Ａの枝幹部Ａ２に散布される。茶樹Ａの枝幹部Ａ２は、上方の上面葉部Ａ１に比較して隙間空間が多いため、奥方によく薬液Ｌが行き渡り、枝幹部Ａ２に付いたカイガラ虫等の病害虫がよく防除される。なお薬液Ｌの散布量は従来の半分以下の量の５００リットル／１０ａ程度で済む。
【００１６】
なお一度の走行で作業台車２の下方の茶畝Ｕと、その両脇の茶畝Ｕの半分ずつが薬液Ｌの散布が行われるため（実質的に一度の走行で二つの茶畝Ｕの防除が行われる）、車載式防除装置１は図３に示されるように一つ飛ばしに茶畝Ｕ上を走行して薬液Ｌの散布を行えばよい。もちろん一つ飛ばしではなく、各茶畝Ｕ上一列ずつ走行して、茶樹Ａに対し比較的多い量の薬液Ｌの散布を行う手法も採れる。なお圃場Ｈにおける一番側端の茶畝Ｕ上を作業台車２でまたいで散布する場合には、茶畝Ｕが存在しない側を向いたノズル管３０につながる供給配管３３の電磁弁やコックを適宜閉じて、ここから薬液Ｌが散布されないようにする。
【００１７】
【他の実施の形態】
本発明の基本的な実施の形態は以上のようであるが、その他種々の改変が行い得る。
例えば前記基本的実施の形態では、乗用式のものを開示したが、例えばレール走行式のものでも構わない。なおレール走行式を採る場合、本出願人が既に特開平９−２９８９０５号や特開２０００−１３９３２１で開示しているような自動走行式の構成を採ることも可能であるし、その他手押し式の構成を採ることも可能である。
【００１８】
またノズル管３０は、前記基本的実施の形態では、クローラカバー２１ｃの内側と外側の両側部に対しそれぞれ一つずつ設けられ、左右のクローラカバー２１ｃで計四つのノズルが設けられたが、例えば図４（ａ）（ｂ）に示されるように、クローラカバー２１ｃの内側または外側のどちらか一方のみに設けて実施しても構わない。また図４（ｃ）に示されるものは、片側のクローラカバー２１ｃのみに二つのノズル管３０を設けた実施の形態である。
【００１９】
またノズル管としては、図５（ａ）に示されるノズル管３５のように比較的長尺のものを縦方向に設けて実施してもよい。また図５（ｂ）に示されるように茶樹Ａの上方から薬液Ｌの散布を行うアーチ状のノズル管３６を、クローラカバー２１ｃに設けられるノズル管３０とは別途に設けるようにしてもよい。
【００２０】
【発明の効果】
請求項１記載の車載式防除装置によれば、薬液Ｌを散布するノズル管３０、３５は、前記作業台車２に対し、茶畝Ｕの側面に臨むように位置するように設けられ、茶樹Ａの枝幹部Ａ２に対し側方から薬液Ｌを散布するため、茶樹Ａの枝幹部Ａ２に直接的に散布が行え、薬液Ｌの散布量を飛躍的に減少することができる。更に走行しながら薬液Ｌの散布が行えるため、作業時間が短縮できる。また茶樹Ａにノズル管３０、３５が接触しないため、故障が少なく耐久性に富む。またノズル管３０、３５の昇降操作等を行わないため、操作が簡単である。
また、ノズル管３０、３５の噴出口３０ａは、複数設けられるものであり、これら噴出口３０ａは、茶樹Ａの異なる高さ位置へ向けられているため、茶樹Ａの枝幹部Ａ２に対し満遍なく薬液Ｌが散布される。
【００２１】
更に請求項２記載の車載式防除装置によれば、ノズル管３０、３５からの薬液Ｌの散布は、作業台車２の下方に位置する茶畝Ｕと、その両脇の茶畝Ｕに対して行われるため、一度の走行により少なくとも二畝分の薬液Ｌの散布が行え、作業効率に優れる。
【００２２】
更にまた請求項３記載の車載式防除装置によれば、車載式防除装置１が作業者が搭乗して運転する乗用式のものであるため、圃場Ｈにレールを敷設するような必要がなく、安価な実施が可能であり、小規模農園での実施にも適する。また作業者が運転しながら茶樹Ａを観察し、病害虫による被害が多い茶樹Ａのところを集中的に防除を行ったりすることが可能である。
【図面の簡単な説明】
【図１】  本発明の車載式防除装置の使用状態を示す斜視図である。
【図２】  同上背面図である。
【図３】  同上薬液散布の経路を示す骨格的平面図である。
【図４】  ノズル管の設置個数及び設置個所を異ならせた他の種々の実施の形態を示す背面図である。
【図５】  ノズル管の構成を異ならせた他の二種の実施の形態を示す背面図である。
【符号の説明】
１      車載式防除装置
２      作業台車
２０    フレーム体
２０ａ  上部デッキ
２１    クローラ
２１ｃ  クローラカバー
２２    コントロールユニット
２３    運転席
２４    エンジンユニット
３      防除機
３０    ノズル管
３０ａ  噴出口
３０ｂ  ドレーン
３１    薬液タンク
３２    ポンプユニット
３３    供給配管
３５    ノズル管
３６    ノズル管
Ａ      茶樹
Ａ１    上面葉部
Ａ２    枝幹部
Ｈ      圃場
Ｌ      薬液
Ｕ      茶畝
【図１】
0004606568.tif 000002
【図２】
0004606568.tif 000003
【図３】
0004606568.tif 000004
【図４】
0004606568.tif 000005
【図５】
0004606568.tif 000006